(57)【要約】      （修正有）【課題】起動中であることを起動後の用途と共に使用者に的確に伝えることができる情報端末およびプログラムを提供する。【解決手段】情報端末が起動中であることを当該情報端末の用途と共に報知するための複数の起動画面データのうち、予め指定される起動画面データを当該情報端末の電源投入から起動完了までの期間において表示部で表示する。さらに、各起動画面データに対する上記指定を所定の操作に応じて切換える。【選択図】図６
2014049097.tif 000002
【特許請求の範囲】
【請求項１】
表示部と、
情報端末が起動中であることを当該情報端末の用途と共に報知するための複数の起動画面データのうち、予め指定される起動画面データを当該情報端末の電源投入から起動完了までの期間において前記表示部で表示するとともに、前記各起動画面データに対する前記指定を所定の操作に応じて切換える制御手段と、
を備えることを特徴とする情報端末。
【請求項２】
前記複数の起動画面データを記憶した記憶手段、
をさらに備え、
前記制御手段は、前記記憶手段内の各起動画面データのうち、予め指定される起動画面データを当該情報端末の電源投入から起動完了までの期間において前記表示部で表示するとともに、前記各起動画面データに対する前記指定を所定の操作に応じて切換える、
ことを特徴とする請求項１に記載の情報端末。
【請求項３】
前記記憶手段は、当該情報端末を互いに異なる複数の機器としてそれぞれ機能させるための複数のアプリケーションプログラム、および当該情報端末が起動中であることを当該情報端末の用途と共に報知するための複数の起動画面データを記憶し、
前記制御手段は、前記記憶手段内の各アプリケーションプログラムのうち予め選定されるアプリケーションプログラムを当該情報端末の電源投入に伴い起動し、かつ前記記憶手段内の各起動画面データのうち予め指定される起動画面データを前記アプリケーションプログラムの起動が完了するまで前記表示部で表示するとともに、前記記憶手段内の各アプリケーションプログラムに対する前記選定および同記憶手段内の各起動画面データに対する前記指定を所定の操作に応じて切換える、
ことを特徴とする請求項１に記載の情報端末。
【請求項４】
前記制御手段は、前記指定の切換えを前記電源投入から前記アプリケーションプログラムの起動が完了するまでの期間においてのみ実行する。
ことを特徴とする請求項１乃至請求項３のいずれかに記載の情報端末。
【請求項５】
基体部と、
前記基体部に開閉自在に設けられた蓋体部と、
前記基体部が左手で持たれている状態で左手親指により操作される複数の操作キーと、
をさらに備え、
前記制御手段は、前記各起動画面データに対する前記指定を前記各操作キーに対する所定の操作に応じて切換える、
ことを特徴とする請求項１乃至請求項４のいずれかに記載の情報端末。
【請求項６】
表示部およびコンピュータを含む情報端末において、
前記コンピュータに、
当該情報端末が起動中であることを当該情報端末の用途と共に報知するための複数の起動画面データのうち、予め指定される起動画面データを当該情報端末の電源投入から起動完了までの期間において前記表示部で表示する機能と、
前記各起動画面データに対する前記指定を所定の操作に応じて切換える機能と、
を実現させることを特徴とするプログラム。
【発明の詳細な説明】
【技術分野】
【０００１】
この発明は、レストラン等の飲食店で顧客からオーダーされる商品の情報入力などに使用される情報端末およびプログラムに関する。
【背景技術】
【０００２】
ファミリーレストラン等の飲食店において、顧客からオーダーされる商品の情報を係員が手元で容易にしかも迅速に入力して厨房に無線送信できる手持式の情報端末いわゆるハンディターミナルが知られている。
【０００３】
このハンディターミナルは、情報入力用のタッチパネル式の液晶表示部を有し、電源の投入後、当該ハンディターミナルを機能させるアプリケーションプログラムの起動が完了するまで、起動中であることを使用者に伝えるための起動画面を液晶表示部で表示する。
【先行技術文献】
【特許文献】
【０００４】
【特許文献１】特開２００８―１７１１４３号公報
【発明の概要】
【発明が解決しようとする課題】
【０００５】
ハンディターミナルの用途として、オーダーされる商品の情報入力用のほかに、例えば店員が販売方法や接客方法を自ら操作して学習する教育用機器としての使用がある。
【０００６】
しかしながら、表示される起動画面は、主に起動中であることを知らせるだけである。店員が販売方法や接客方法を学習する教育用機器として用いる場合もこの起動画面が表示されるだけであり、起動後の用途が何かを使用者に的確に知らせることができない。
【０００７】
実施形態の目的は、起動中であることを起動後の用途と共に使用者に的確に伝えることができる情報端末およびプログラムを提供することである。
【課題を解決するための手段】
【０００８】
請求項１の情報端末は、表示部および制御手段を備える。制御手段は、当該情報端末が起動中であることを当該情報端末の用途と共に報知するための複数の起動画面データのうち、予め指定される起動画面データを当該情報端末の電源投入から起動完了までの期間において前記表示部で表示するとともに、前記各起動画面データに対する前記指定を所定の操作に応じて切換える。
【図面の簡単な説明】
【０００９】
【図１】一実施形態の基体部の内側および蓋体部の内側を示す図。
【図２】一実施形態の側面部の３つの操作キーを示す図。
【図３】一実施形態の基体部の裏面側およびバッテリパックを示す図。
【図４】一実施形態の制御回路のブロック図。
【図５】一実施形態のＣＰＵが実行する制御を示すフローチャート。
【図６】一実施形態の基体部の内側の表示部で表示される第１起動画面を示す図。
【図７】一実施形態の基体部の内側の表示部で表示される第２起動画面を示す図。
【発明を実施するための形態】
【００１０】
以下、この発明の一実施形態について図面を参照して説明する。  
図１において、１は手持式の情報端末いわゆるハンディターミナルで、基体部１０とその基体部１０にヒンジ２，３を介して開閉自在に連結された蓋体部２０とからなる。使用時は、図示のように蓋体部２０を右方向に開くことにより、基体部１０の内側のタッチパネル式の液晶表示部１１および蓋体部２０の内側の操作部２１が露出する。非使用時は、蓋体部２０を左方向に閉じて、係員のポケットなどに収容することができる。
【００１１】
基体部１０におけるタッチパネル式の液晶表示部１１は、商品名の文字、商品の図形、商品の絵文字など多数の操作パターンがほぼ上半分側に縦横に配列表示される操作パターン表示領域１１ａ、および数値キーや文字キーが下方側に配列表示されるキー表示領域１１ｂを有する。蓋体部２０の内側の操作部２１には、商品名の文字、商品の図形、商品の絵文字などが記載された多数の操作パッド２２が縦横に配列される。
【００１２】
基体部１０の液晶表示部１１は、基体部１０を左手で持ちながら蓋体部２０を右方向に開くことにより露出し、右手指でタッチ操作することができる。蓋体部２０の操作部２１も、同様に、右手指でタッチ操作することができる。
【００１３】
図２に示すように、基体部１０の長手方向に沿う側面部に、複数の操作キーたとえば上向きシフトキー１２、下向きシフトキー１３、および円形のエンターキー１４が配置されている。エンターキー１４は、データ入力したオーダーの例えば確定キーとして用いられるもので、基体部１０を左手で持ちながら、左手の親指により押圧操作することができる。上向きシフトキー１２および下向きシフトキー１３も、同様に、基体部１０が左手で持ちながら、左手の親指により押圧操作することができる。
【００１４】
図３に示すように、基体部１０の裏面の下部に、バッテリパック１５が面一状態で嵌め込み装着される。このバッテリパック１５を基体部１０から取り外して専用の充電器にセットして充電し、その充電後のバッテリパック１５を充電器から外して基体部１０の上記装着位置に嵌め込むことにより、ハンディターミナル１の電源が投入される。
【００１５】
このハンディターミナル１の制御回路を図４に示す。  
基体部１０の回路基板上にマイクロコンピュータのＣＰＵ１００が搭載され、そのＣＰＵ１００にタッチパネル１０１、ＬＣＤ表示モジュール１０２、無線部１０３、記憶手段たとえばＲＯＭ１０４、記憶手段たとえばＲＡＭ１０５、記憶手段たとえばＢＩＯＳ-ＲＯＭ１０６、上記上向きシフトキー１２、下向きシフトキー１３、およびエンターキー１４が接続される。また、蓋体部２０の回路基板に上記操作部２１が搭載され、その操作部２１が折れ曲がり自在な配線ケーブルを介して基体部１０側のＣＰＵ１００に接続される。
【００１６】
タッチパネル１０１およびＬＣＤ表示モジュール１０２により、基体部１０におけるタッチパネル式の液晶表示部１１が構成される。すなわち、各種操作パターンや各種操作キーの画像がＬＣＤ表示モジュール１０２で表示され、それがタッチパネル１０１上に透過表示される。
【００１７】
無線部１０３は、アンテナ１０３ａを付属して備え、ＣＰＵ１００から供給されるデータを特定のＩＤコードと共に送信し、かつ外部機器から送信されたデータを受信してＣＰＵ１００に供給する機能を有する。
【００１８】
ＲＯＭ１０４は、オペレーティングシステム（ＯＳ）１０４ａ、複数のアプリケーションプログラム１０４ｂ，１０４ｃ、および文字・図形・絵文字などの各種表示用パターンデータ１０４ｄを記憶している。ＢＩＯＳ−ＲＯＭ１０６は、ハードウェア初期化用のＢＩＯＳ（Basic Input/Output）１０６ａ、第１起動画面データ１０６ｂ、第２起動画面データ１０６ｃを記憶している。
【００１９】
ＲＯＭ１０４内のアプリケーションプログラム１０４ｂ，１０４ｃは、当該ハンディターミナル１を互いに異なる機器としてそれぞれ機能させるために用意されている。例えば、アプリケーションプログラム１０４ｂは、当該ハンディターミナル１を、レストラン等の飲食店で顧客からオーダーされる商品の情報入力用機器として機能させる。アプリケーションプログラム１０４ｃは、当該ハンディターミナル１を、店員が販売方法や接客方法を自ら操作して学習する教育用機器として機能させる。
【００２０】
ＢＩＯＳ−ＲＯＭ１０６内の第１起動画面データ１０６ｂは、当該ハンディターミナル１が起動中であることを、当該ハンディターミナル１の用途がオーダー商品の情報入力用であることと共に、報知するためのものである。ＢＩＯＳ−ＲＯＭ１０６内の第２起動画面データ１０６ｃは、当該ハンディターミナル１が起動中であることを、当該ハンディターミナル１の用途が販売方法や接客方法の教育用であることと共に、報知するためのものである。
【００２１】
ＢＩＯＳ−ＲＯＭ１０６内のＢＩＯＳ１０６ａは、当該ハンディターミナル１の電源投入時に起動してハードウェアの初期化を実行するプログラムを含む。ＣＰＵ１００は、このＢＩＯＳ１０６ａのプログラムとの協働に基づく主要な機能として、次の（１）〜（４）の手段を実現する。
【００２２】
（１）ＲＯＭ１０４内のアプリケーションプログラム１０４ｂ，１０４ｃのうち、予め選定されるアプリケーションプログラムを、電源投入に伴い起動する第１制御手段。
【００２３】
（２）ＲＯＭ１０４内のアプリケーションプログラム１０４ｂ，１０４ｃに対する上記選定を、蓋体部２０における操作部２１の所定の操作に応じて順次に切換える第２制御手段。この選定の切換えについては、例えば、アプリケーションプログラム１０４ｂ，１０４ｃのいずれかの起動が完了して当該ハンディターミナル１が動作している状態においてのみ、それを条件として実行する。操作部２１の所定の操作とは、例えば図１に示すように、操作部２１における多数の操作パッド２２のうち、予め決められている操作パッド２２ａ，２２ｂを同時に押圧操作したり既定の順序で押圧操作することであり、当該ハンディターミナル１に関する操作マニュアル等に記載されている。
【００２４】
（３）ＢＩＯＳ−ＲＯＭ１０６内の起動画面データ１０６ｂ，１０６ｃのうち、予め指定される起動画面データを、電源投入からアプリケーションプログラムの起動完了までの期間において、液晶表示部１１で表示する第３制御手段。
【００２５】
（４）ＢＩＯＳ−ＲＯＭ１０６内の起動画面データ１０６ｂ，１０６ｃに対する上記指定を、基体部１０の側部の上向きシフトキー１２、下向きシフトキー１３、エンターキー１４に対する所定の操作に応じて順次に切換える第４制御手段。この指定の切換えについては、例えば、電源投入からアプリケーションプログラムの起動完了までの期間においてのみ、つまり起動画面データの表示期間中においてのみ、それを条件として実行する。
【００２６】
次に、ＣＰＵ１００がＢＩＯＳ１０６ａのプログラムとの協働により実行する制御を図５のフローチャートを参照しながら説明する。  
バッテリパック１５が装着されて電源が投入されると（ステップ２０１のＹＥＳ）、ＢＩＯＳ１０６ａが起動してハードウェアが初期化される（ステップ２０２）。そして、ＢＩＯＳ−ＲＯＭ１０６内の各起動画面データのうち予め指定されている起動画面データたとえば起動画面データ１０６ｂが液晶表示部１１で表示される（ステップ２０３）。すなわち、図６に示すように、起動中であることを知らせる『起動処理中です。暫くお待ちください』という文字、当該ハンディターミナル１の利用店舗の店名である『○○レストラン』という文字、および同店舗のお勧め商品の写真画像などを含む起動画面Ｘが、液晶表示部１１の全域で表示される。
【００２７】
また、ＲＯＭ１０４内のオペレーティングシステム（ＯＳ）１０４ａと、同ＲＯＭ１０４内の各アプリケーションプログラムのうち予め選定されているアプリケーションプログラムたとえばアプリケーションプログラム１０４ｂとが、上記電源投入に伴い起動される（ステップ２０４）。この起動中も、上記起動画面Ｘの表示が継続する。
【００２８】
アプリケーションプログラム１０４ｂの起動が完了すると（ステップ２０５のＹＥＳ）、液晶表示部１１で表示されていた起動画面Ｘの表示が終了となって、代わりに、アプリケーションプログラム１０４ｂによる初期画面が液晶表示部１１で表示される（ステップ２０６）。また、このアプリケーションプログラム１０４ｂの起動完了により、当該ハンディターミナル１が、レストラン等の飲食店で顧客からオーダーされる商品の情報入力用機器として機能する。
【００２９】
このように、電源投入からアプリケーションプログラム１０４ｂの起動が完了するまでの期間において起動画面Ｘを表示することにより、当該ハンディターミナル１を手持ちしている係員に対し、当該ハンディターミナル１の用途がオーダー商品の情報入力用機器であることを的確に把握させることができる。
【００３０】
一方、予め選定されているアプリケーションプログラム１０４ｃであった場合は、そのアプリケーションプログラム１０４ｃの起動が完了するのに伴い（ステップ２０５のＹＥＳ）、液晶表示部１１で表示されていた起動画面Ｘの表示に代わって、アプリケーションプログラム１０４ｃによる初期画面が液晶表示部１１で表示される（ステップ２０６）。ただし、この場合は、アプリケーションプログラム１０４ｃの起動完了により、当該ハンディターミナル１が販売方法や接客方法を学習するための教育用機器として機能するようになる。こうなると、それまでの起動画面Ｘの表示は適切でないことになる。
【００３１】
このような場合、当該ハンディターミナル１を持つ係員は、電源投入からアプリケーションプログラム１０４ｃの起動が完了するまでの期間において、つまり起動画面Ｘが表示されている期間において、基体部１０の側面部の上向きシフトキー１２、下向きシフトキー１３、エンターキー１４に対する所定の操作を行う。この所定の操作は、上向きシフトキー１２、下向きシフトキー１３、エンターキー１４のいくつかを同時に押圧操作したり既定の順序で押圧操作することであり、当該ハンディターミナル１に関する操作マニュアル等に記録されている。
【００３２】
電源投入からアプリケーションプログラム１０４ｃの起動が完了するまでの期間において（ステップ２０５のＮＯ）、上向きシフトキー１２、下向きシフトキー１３、エンターキー１４に対する所定の操作が行われると（ステップ２０７のＹＥＳ）、ＢＩＯＳ−ＲＯＭ１０６内のこれまで指定されていた起動画面データ１０６ｂに換えて、ＢＩＯＳ−ＲＯＭ１０６内の起動画面データ１０６ｃが新たに指定される（ステップ２０８）。
【００３３】
この指定切換により、液晶表示部１１で表示中の起動画面Ｘに換えて、図７に示す起動画面Ｙが液晶表示部１１の全域で表示される。この表示の切換えは、起動画面データ１０６ｂ，１０６ｃに対する指定の切換え操作に応じて、直ちに行われる。
【００３４】
起動画面Ｙは、起動中であることを知らせる『起動処理中です。暫くお待ちください』という文字、『教育用』という文字、および教育に関連する鉛筆の画像を含んでいる。したがって、当該ハンディターミナル１を手持ちしている係員に対し、当該ハンディターミナル１の用途が販売方法や接客方法を学習するための教育用機器であることを的確に把握させることができる。
【００３５】
以後はこの起動画面データ１０６ｃの指定が継続し、次の電源投入に際して初めから起動画面Ｙが表示される。この起動画面Ｙの表示中に上向きシフトキー１２、下向きシフトキー１３、エンターキー１４に対する所定の操作がなされた場合は、起動画面データ１０６ｃに換えて起動画面データ１０６ｂが新たに指定され、起動画面Ｙの表示に換えて起動画面Ｘが表示される。
【００３６】
以上のように、当該ハンディターミナル１が起動中であることを起動後の用途と共に使用者に的確に伝えることができる。
【００３７】
しかも、起動画面データ１０６ｂ，１０６ｃに対する指定を切換えるための上向きシフトキー１２、下向きシフトキー１３、エンターキー１４は、係員が基体部１０を左手で持っているときに左手親指が直に触れる個所に存在するので、指定切換を左手だけで容易かつ迅速に完了することができる。また、各起動画面データに対する指定を切換えを行う条件として、電源投入からアプリケーションプログラムの起動が完了するまでの期間という、時期的な制限を設けているので、偶然の操作など使用者が意図していないタイミングで起動画面データに対する指定が切換わってしまうような不具合を防ぐことができる。
【００３８】
なお、起動画面データ１０６ｂ，１０６ｃに対する指定を切換えるための所定の操作としては、上向きシフトキー１２、下向きシフトキー１３、エンターキー１４に限らず、例えば図１に示すように、操作部２１における多数の操作パッド２２のうち、予め定められている操作パッド２２ｃ，２２ｄに対する同時の押圧操作や既定順序の押圧操作であってもよい。この場合は、基体部１０を左手で持ちながら、右手指で操作パッド２２ｃ，２２ｄを押圧操作することができる。
【００３９】
アプリケーションプログラム１０４ｂ，１０４ｃに対する選定と起動画面データ１０６ｂ，１０６ｃに対する指定をそれぞれ独立的に行う制御としたが、起動画面データ１０６ｂ，１０６ｃに対する指定を所定の操作で切換える制御は残したまま、アプリケーションプログラム１０４ｂが選定された場合はアプリケーションプログラム１０４ｂに対応する起動画面データ１０６ｂを自動的に指定し、アプリケーションプログラム１０４ｃが選定された場合はアプリケーションプログラム１０４ｃに対応する起動画面データ１０６ｃを自動的に指定する制御を加えてもよい。この場合、起動するアプリケーションプログラムに対応する起動画面データが先ずは指定されて表示されることになるが、その後で、使用者の気分や好みなどにより、所定の操作で新たに起動画面データを指定して表示することができる。
【００４０】
アプリケーションプログラムが２つで、起動画面データが２つの場合を例に説明したが、そのアプリケーションプログラムの個数および起動画面データの個数について限定はない。
【００４１】
その他、上記実施形態は、例として提示したものであり、発明の範囲を限定することは意図していない。この新規な実施形態は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００４２】
１…ハンディターミナル、１０…基体部、１１…タッチパネル式の液晶表示部、１１ａ…操作パターン領域、１１ｂ…キー領域、１２…上向きシフトキー、１３…下向きシフトキー、１４…エンターキー、２０…蓋体部、２１…操作部、２２…操作パッド、１００…ＣＰＵ、１０３…無線部、１０１…タッチパネル、１０２…ＬＣＤ表示モジュール
【図１】
2014049097.tif 000003
【図２】
2014049097.tif 000004
【図３】
2014049097.tif 000005
【図４】
2014049097.tif 000006
【図５】
2014049097.tif 000007
【図６】
2014049097.tif 000008
【図７】
2014049097.tif 000009